(57)【要約】【課題】通常時には扉を閉じ位置に安定して維持することができ、非常時には扉を開くことができるラッチ受け及び建具を提供する。【解決手段】ラッチ受け３６は、扉１４に設けられたラッチ３０を係止することで扉１４の扉枠１２に対する面外方向への移動を規制する部品である。このラッチ受け３６は、扉枠１２に固定される固定部品４０と、ラッチ３０と当接することで扉１４の面外方向への移動を規制する係止面５２ａを有し、固定部品４０に対して着脱可能に連結される受け部品４２とを備え、ラッチ３０の係止面５２ａに対する当接方向と、受け部品４２の固定部品４０からの離脱方向とが異なる。【選択図】図２
2020016040.tif 000002
【特許請求の範囲】
【請求項１】
扉に設けられたラッチを係止することで前記扉の扉枠に対する面外方向への移動を規制するラッチ受けであって、
前記扉枠に固定される固定部品と、
前記ラッチと当接することで前記扉の面外方向への移動を規制する係止面を有し、前記固定部品に対して着脱可能に連結される受け部品と、
を備え、
前記ラッチの前記係止面に対する当接方向と、前記受け部品の前記固定部品からの離脱方向とが、異なることを特徴とするラッチ受け。
【請求項２】
請求項１に記載のラッチ受けであって、
前記受け部品及び前記固定部品の一方は、爪部が設けられたフック状突起を有し、
前記受け部品及び前記固定部品の他方は、前記フック状突起が挿入された場合に前記爪部と係合する係合部を有し、
前記フック状突起が前記係合部に係合することで、前記受け部品が前記固定部品に対して着脱可能に連結されることを特徴とするラッチ受け。
【請求項３】
請求項２に記載のラッチ受けであって、
前記受け部品は、前記固定部品からの離脱方向に向かって突出した引寄せ片を有することを特徴とするラッチ受け。
【請求項４】
請求項２又は３に記載のラッチ受けであって、
前記フック状突起は、前記受け部品に設けられ、
前記係合部は、前記固定部品に設けられると共に、前記フック状突起を挿入可能な穴部を有し、
前記爪部が前記係合部に係合した状態で、前記フック状突起の先端部は、前記穴部を通過して前記固定部品の外部に露出することを特徴とするラッチ受け。
【請求項５】
請求項１〜４のいずれか１項に記載のラッチ受けであって、
前記固定部品は、その一端部から屈曲して形成され、前記受け部品が連結された状態で、前記係止面と前記ラッチとの間に介在する補強板を有し、
前記補強板の前記一端部からの屈曲部分には、脆弱部が形成されていることを特徴とするラッチ受け。
【請求項６】
請求項１〜５のいずれか１項に記載のラッチ受けであって、
前記当接方向と前記離脱方向とが、互いに直交又は略直交していることを特徴とするラッチ受け。
【請求項７】
請求項１〜６のいずれか１項に記載のラッチ受けを設けた前記扉と、該扉がヒンジを用いて回動可能に取り付けられる前記扉枠と、を備えることを特徴とする建具。
【請求項８】
請求項７に記載の建具であって、
前記固定部品は、前記扉枠の室外側又は室内側の見付け面に対して固定され、
前記受け部品の前記固定部品に対する着脱方向は、前記扉枠の前記見付け面に沿った方向であることを特徴とする建具。
【請求項９】
請求項７に記載の建具であって、
前記固定部品は、前記扉枠の見込み面に対して固定され、
前記受け部品の前記固定部品に対する着脱方向は、前記扉枠の前記見込み面の長手方向に沿った方向であることを特徴とする建具。
【発明の詳細な説明】
【技術分野】
【０００１】
本発明は、ラッチ受け及び建具に関する。
【背景技術】
【０００２】
例えば建物内で室内外を仕切る扉は、人が出入りする開口部を形成した扉枠に対してヒンジを用いて回動可能に支持されている。一般的な扉は、その戸先側見込み面に設けたラッチが扉枠に設けたラッチ受けに係止されることで閉じ位置に維持される。また、扉は、レバーや握り玉を操作することでラッチを退行させて開くことができる。
【０００３】
このような構成の建具では、例えばラッチ錠装置が不具合を生じた場合（非常時）、レバー等を操作してもラッチを退行させることができず、扉を開くことができなくなる懸念がある。そこで、本出願人は、特許文献１において、予め設定した値を超える外力で扉を強制的に開いた場合に、ラッチに押圧されたラッチ受けが分解或いは破断し、これにより扉を開くことができる構成を提案している。
【先行技術文献】
【特許文献】
【０００４】
【特許文献１】特許第５１３３２７３号公報
【発明の概要】
【発明が解決しようとする課題】
【０００５】
上記特許文献１のラッチ受けは、ラッチのラッチ受けに対する当接方向（つまり扉の開方向）と、ラッチ受けが分離等する方向とが一致している。従って、この構成では、ラッチ錠装置に不具合を生じていない通常時にも、レバー等を操作せずに閉じた扉に開方向の外力を付与した場合、ラッチ受けには分離等する方向の力が付与される。このため、ラッチ受けは、ラッチ錠装置に不具合を生じていない通常時であっても、想定を超えた外力による誤操作等によって分離等する懸念がある。
【０００６】
本発明は、上記従来技術の課題を考慮してなされたものであり、通常時には扉を閉じ位置に安定して維持することができ、非常時には扉を開くことができるラッチ受け及び建具を提供することを目的とする。
【課題を解決するための手段】
【０００７】
本発明に係るラッチ受けは、扉に設けられたラッチを係止することで前記扉の扉枠に対する面外方向への移動を規制するラッチ受けであって、前記扉枠に固定される固定部品と、前記ラッチと当接することで前記扉の面外方向への移動を規制する係止面を有し、前記固定部品に対して着脱可能に連結される受け部品と、を備え、前記ラッチの前記係止面に対する当接方向と、前記受け部品の前記固定部品からの離脱方向とが、異なることを特徴とする。
【発明の効果】
【０００８】
本発明によれば、通常時にはラッチ受けで扉を閉じ位置に安定して維持することができ、非常時には扉を開くことができる。
【図面の簡単な説明】
【０００９】
【図１】本発明の第１の実施形態に係る建具の横断面図である。
【図２】図１に示す建具の要部拡大横断面図である。
【図３】図１中のＩＩＩ−ＩＩＩ線に沿う要部拡大縦断面図である。
【図４】図１に示すラッチ受けの斜視図である。
【図５】図４に示すラッチ受けの固定部品と受け部品とを分離した状態を示す分解斜視図である。
【図６】図４に示すラッチ受けを室内側から見た図である。
【図７】変形例に係るラッチ受けの固定部品と受け部品とを分離した状態を示す分解斜視図である。
【図８】図７に示す固定部品の横断面図である。
【図９】図７に示すラッチ受けを用いた建具の要部拡大横断面図である。
【図１０】本発明の第２の実施形態に係る建具の横断面図である。
【図１１】図１０に示す建具の要部拡大横断面図である。
【図１２】図１０に示す建具のラッチ受けを扉枠の枠内側から見た図である。
【図１３】図１０に示すラッチ受けの斜視図である。
【図１４】図１３に示すラッチ受けの固定部品と受け部品とを分離した状態を示す分解斜視図である。
【図１５】図１３に示すラッチ受けの固定部品の斜視図である。
【図１６】図１３に示すラッチ受けを扉枠の枠外側から見た図である。
【図１７】固定部品に係合部を設け、受け部品にフック状突起を設けた変形例に係るラッチ受けの構成図である。
【発明を実施するための形態】
【００１０】
以下、本発明に係る建具について好適な実施の形態を挙げ、添付の図面を参照しながら詳細に説明する。
【００１１】
第１の実施形態に係る建具１０の構成を説明する。図１に示すように、建具１０は、扉枠１２と、扉１４とを備える。本実施形態の建具１０は、建物内で室内外を仕切る扉であり、例えばトイレや浴室の出入り口のドアや部屋と廊下とを繋ぐ出入り口のドアである。
【００１２】
扉枠１２は、建物の躯体や壁体等の躯体部材１６に形成された開口部に固定される。扉枠１２は、左右一対の縦枠１２ａ，１２ｂと、縦枠１２ａ，１２ｂの上端部を繋ぐ上枠と、縦枠１２ａ，１２ｂの上端部を繋ぐ下枠とを四周枠組みした構成である。縦枠１２ａ，１２ｂ及び上枠は、例えば躯体部材１６の表面に設けられた額縁や壁板によって構成される。下枠は、例えば躯体部材１６の表面に設けられた額縁や床板によって構成される。
【００１３】
本出願において、見込み方向とは建具１０の室内外方向、つまり室内側から室外側に向かう方向又はその逆方向（図中に矢印Ｙで示す方向）をいい、見込み面とは見込み方向に沿って延在する面をいう。見付け方向とは見込み方向に直交する方向であり、上下方向に長尺な縦枠１２ａ等の場合はその長手方向に直交する左右方向（図中に矢印Ｘで示す方向）をいい、左右方向に長尺な上枠等の場合はその長手方向に直交する上下方向（図中に矢印Ｚで示す方向）をいう。見付け面とは見付け方向に沿った面をいう。枠状部材の内側（内周）とは、例えば扉枠１２の枠内部分をいう。枠状部材の外側（外周）とは、例えば扉枠１２の躯体部材１６に固定される枠外部分をいう。また、枠状部材の外側から内側に向かう方向を枠内方向といい、枠状部材の内側から外側に向かう方向を枠外方向という。
【００１４】
扉１４は、板材等で構成された扉本体１４ａの一方の側縁部に吊元側框材１４ｂが設けられている。吊元側框材１４ｂは、例えば上下一対のヒンジ１８を用いて縦枠１２ａと回動可能に連結される。これにより、扉１４は、鉛直軸に沿ったヒンジ１８の軸回りに回動し、扉枠１２の面外方向（室外側）に開閉可能である。本実施形態のヒンジ１８は、縦枠１２ａの枠内側見込み面２０から突出して室外側に屈曲したヒンジアーム２２の先端に設けられており、縦枠１２ａの室外側見付け面２４よりも室外側に配置されている。
【００１５】
図１〜図３に示すように、扉１４は、扉本体１４ａの他方の側縁部に戸先側框材１４ｃが設けられている。戸先側框材１４ｃは、室内側及び扉本体１４ａの戸先側見込み面２６に向かって開口した凹部２８を上下方向略中央に有する。扉１４の戸先側見込み面２６には、ラッチ３０が出没可能に設けられている。ラッチ３０は、扉１４の内部に配設されたラッチ錠装置３１の一要素であり、戸先側見込み面２６から出没することで凹部２８内に進退する。ラッチ３０は、コイルばね等の弾性部材によって戸先側見込み面２６から突出する方向に常時付勢されている。扉１４は、戸先側框材１４ｃや吊元側框材１４ｂを持たない構成としてもよい。
【００１６】
ラッチ３０は、金属や樹脂で形成され、当接面３０ａと案内面３０ｂとが設けられた三角柱形状の部品である。当接面３０ａは、戸先側見込み面２６に対して直交する方向、つまりラッチ３０の進退方向（Ｘ方向）に延在した平面である。当接面３０ａは、扉１４が閉じられた状態で、戸先側框材１４ｃと対向する縦枠１２ｂの室外側見付け面３２と平行（又は略平行）する。案内面３０ｂは、ラッチ３０の先端に向かって次第に当接面３０ａとの距離が小さくなるように弧状に延在した湾曲面である。ラッチ３０は、扉１４の室内外側両面に設けたレバー３４を操作した際、或いは扉１４の閉じ動作時に案内面３０ｂがラッチ受け３６に摺動した際、弾性部材の付勢力に抗して退行し、扉本体１４ａ内に没入する。
【００１７】
ラッチ受け３６は、扉枠１２の縦枠１２ｂの室外側見付け面３２に取り付けられている。ラッチ受け３６は、扉１４が閉じられた場合に戸先側框材１４ｃの凹部２８に進入してラッチ３０を係止し、扉枠１２に対する扉１４の面外方向への回動を規制する。
【００１８】
本実施形態の扉１４は、扉枠１２の室外側に配置され、室外側に向かって回動する外開きのアウトセットドアである。扉１４の各框材１４ｂ，１４ｃの室内側見付け面には、それぞれタイト材３８が装着されている。各タイト材３８は、扉１４が扉枠１２に対して閉じられた場合に、それぞれ縦枠１２ａ，１２ｂの室外側見付け面２４，３２に当接する。これにより各タイト材３８は、扉１４と扉枠１２との間の隙間を塞いで気密する。扉１４は、扉枠１２の室内側に配置され、室内側に向かって回動する内開きのアウトセットドアであってもよい。この場合は、例えば図１中の室内側と室外側とが入れ替わる。つまりラッチ受け３６が縦枠１２ｂの室内側見付け面に取り付けられる。
【００１９】
次に、ラッチ受け３６の構成例を具体的に説明する。図２〜図６に示すように、ラッチ受け３６は、固定部品４０と、受け部品４２とで構成されている。
【００２０】
固定部品４０は、例えば金属板を屈曲させた板金部品である。固定部品４０は、縦枠１２ｂの室外側見付け面３２に対し、例えば２本のねじ４４を用いて固定される。固定部品４０は、一対の取付板４０ａ，４０ａと、取付板４０ａ，４０ａ間を繋ぐブリッジ板４０ｂと、一対の係合片４０ｃ，４０ｃとを有する。
【００２１】
各取付板４０ａは、ブリッジ板４０ｂを挟んで室外側見付け面３２の上下方向に並ぶように設けられ、それぞれ室外側見付け面３２に対してねじ４４を用いて固定される。各取付板４０ａには、それぞれねじ４４が挿通される取付孔４６が形成されている。
【００２２】
ブリッジ板４０ｂは、各取付板４０ａに対して室外側見付け面３２から離間する方向（室外側）にオフセットした位置に配置されている。これにより各取付板４０ａとブリッジ板４０ｂとの間には、取付板４０ａの板厚分程度の厚みを持って凹んだ係合部４８が形成されている。係合部４８は、各取付板４０ａが室外側見付け面３２に当接してねじ止め固定された状態で、その室内側開口が室外側見付け面３２によって閉塞される。その結果、係合部４８は、ブリッジ板４０ｂと室外側見付け面３２との間で室外側見付け面３２に沿って左右方向（枠内外方向）に貫通した穴部を形成する。固定部品４０は、ブリッジ板４０ｂと対向する板部を追加することにより、この板部とブリッジ板４０ｂとの間に係合部４８を形成した構成としてもよい。
【００２３】
各係合片４０ｃは、それぞれ係合部４８を挟んで対向する各取付板４０ａの端面から係合部４８内に突出した突起である。
【００２４】
受け部品４２は、例えば樹脂で成形された部品である。受け部品４２は、固定部品４０に対して着脱可能に連結される。受け部品４２は、支持面４２ａと、ラッチ係止部４２ｂと、一対のフック状突起４２ｃ，４２ｃと、引寄せ片４２ｄとを有する。
【００２５】
支持面４２ａは、縦枠１２ｂの室外側見付け面３２に当接する面である。支持面４２ａは、ラッチ係止部４２ｂ、引寄せ片４２ｄ及び各フック状突起４２ｃの裏面（室内側面）に形成されている。支持面４２ａは、各フック状突起４２ｃの上側及び下側となる位置にそれぞれ連結凹部５０を有する。
【００２６】
ラッチ係止部４２ｂは、支持面４２ａから室外側に起立した箱形状の部分である。ラッチ係止部４２ｂは、フック状突起４２ｃの突出方向、つまり縦枠１２ｂの枠内方向に向かって開口したラッチ進退空間５２を有する。ラッチ係止部４２ｂは、ラッチ進退空間５２における支持面４２ａからの遠位側に、室内側を向いた係止面５２ａを有する。ラッチ係止部４２ｂは、扉１４が閉じられた場合に戸先側框材１４ｃの凹部２８に進入し、ラッチ進退空間５２に進出したラッチ３０の当接面３０ａを係止面５２ａで係止する。これにより、ラッチ係止部４２ｂは、ラッチ３０の扉１４の面外方向への回動を規制する。
【００２７】
各フック状突起４２ｃは、ラッチ係止部４２ｂの上下方向で略中央部となる位置から縦枠１２ｂの枠内方向に向かって突出しており、室内外方向に並んだ棒状部分である。各フック状突起４２ｃは、支持面４２ａに沿って突出している。各フック状突起４２ｃは、その突出方向で先端部５４よりも基端側となる位置に、突起状の爪部５６を有する。各フック状突起４２ｃの爪部５６は、各フック状突起４２ｃの対向面の裏面からそれぞれ上方又は下方に向かって突出している。フック状突起４２ｃ，４２ｃ間のピッチは、一対のフック状突起４２ｃ，４２ｃを係合部４８に対して室外側見付け面３２に沿って嵌挿することができる間隔である（図５参照）。各フック状突起４２ｃが係合部４８に挿入されると、各爪部５６はそれぞれ各係合片４０ｃに摺接し、これを乗り越えて各係合片４０ｃに係合する。これにより各フック状突起４２ｃが係合部４８から抜け止めされる。各フック状突起４２ｃは、各爪部５６がそれぞれ各係合片４０ｃに係合した状態で、その先端部５４が係合部４８を通過して固定部品４０の外部に露出する（図４及び図６参照）。
【００２８】
引寄せ片４２ｄは、支持面４２ａに沿って各フック状突起４２ｃとは逆方向に突出したブロック状部分である。引寄せ片４２ｄは、指先等を引っ掛けるのに適した操作凹部５８を室内側表面に有する。引寄せ片４２ｄは、省略してもよい。
【００２９】
ここで、ラッチ受け３６を扉枠１２に取り付ける手順の一例を説明する。この手順は、扉１４を開いた状態とし、先ず、固定部品４０の各取付板４０ａを縦枠１２ｂの室外側見付け面３２の所定位置に当接させ、ねじ４４を用いて室外側見付け面３２に固定する。続いて、受け部品４２の支持面４２ａを室外側見付け面３２に摺接させ、各フック状突起４２ｃを図２及び図６中の矢印Ｘ１方向（縦枠１２ｂの枠内方向）に移動させて係合部４８に挿入する。各爪部５６が各係合片４０ｃに摺接すると、各フック状突起４２ｃが互いに近接する方向に多少弾性変形し、各爪部５６が各係合片４０ｃを乗り越えて係合する。これにより、各フック状突起４２ｃは、先端部５４が係合部４８を通過した位置で係合部４８に対して抜け止めされる。その結果、受け部品４２が固定部品４０に対して着脱可能に連結され、ラッチ受け３６が扉枠１２の室外側見付け面３２に取り付けられる。この際、固定部品４０の取付板４０ａが受け部品４２の連結凹部５０に嵌合するため、受け部品４２が固定部品４０に対して一層がたつきなく連結される。
【００３０】
この場合、本実施形態に係るラッチ受け３６は、受け部品４２の固定部品４０からの離脱方向（図２及び図６中の矢印Ｘ２方向）が、ラッチ３０の当接面３０ａの受け部品４２の係止面５２ａに対する当接方向（図２中の矢印Ｙ１方向）と異なる。従って、当該ラッチ受け３６は、閉じた状態にある扉１４に対しレバー３４を操作せずに開方向に過大な外力が付与された場合であっても、受け部品４２が固定部品４０から強制的に分離されることがなく、扉１４の閉じ状態を確実に維持することができる。
【００３１】
特に、本実施形態の場合、受け部品４２の固定部品４０に対する着脱方向（図２及び図６中の矢印Ｘ１，Ｘ２方向）と、ラッチ３０の係止面５２ａに対する当接方向（図２中の矢印Ｙ１方向）とが直交又は略直交している。このため、当該ラッチ受け３６を一般的な建具に適用した際、上記した着脱方向が扉枠１２のいずれかの見付け面や見込み面と平行した方向となる。その結果、固定部品４０に対する受け部品４２の装着動作及び離脱動作が一層容易となる。なお、受け部品４２の固定部品４０に対する着脱方向と、当接面３０ａの係止面５２ａに対する当接方向とが直交又は略直交しているとは、図２に示すように完全に直角に形成される場合（直交）の他、ラッチ３０のヒンジ１８を軸心とした旋回動作や各部品の取付精度等を考慮し、例えば９０度からプラスマイナス数度程度位置ずれした角度である場合（略直交）も含む概念である。この概念は、後述する第２の実施形態に係る建具１０Ａにおける受け部品７２の固定部品７０に対する着脱方向と、当接面３０ａの係止面５２ａに対する当接方向との関係においても同様である。勿論、上記した離脱方向（着脱方向）と当接方向とは、直交又は略直交以外の方向に設定されてもよく、例えば図２中で受け部品４２を固定部品４０に対してＸ方向とＹ方向との間となる斜め方向に着脱する構成等としてもよい。
【００３２】
一方、ラッチ錠装置３１が不具合等を生じ、レバー３４を操作してもラッチ３０を退行させることができない事態が生じた非常時を考える。この場合、当該建具１０では、室内側から扉１４を開く際は、室内側から受け部品４２の一対のフック状突起４２ｃ，４２ｃの先端部５４を係合部４８に対する係合方向とは逆方向に指先等で押圧する（図２及び図６中の力Ｆ１参照）。そうすると、爪部５６と係合片４０ｃとの係合状態が強制解除され、受け部品４２が固定部品４０から離脱方向（図２及び図６中の矢印Ｘ２方向）へと移動する。その結果、受け部品４２が固定部品４０から分離され、ラッチ３０と受け部品４２の係止状態が解除されるため、扉１４を開くことができる。
【００３３】
また、室外側から扉１４を開く際は、例えば室外側から引寄せ片４２ｄに指先等を引っ掛け、受け部品４２を固定部品４０からの離脱方向へと引き寄せる（図２及び図６中の力Ｆ２参照）。これによっても受け部品４２が固定部品４０から分離され、ラッチ３０と受け部品４２の係止状態が解除されるため、扉１４を開くことができる。
【００３４】
図７〜図９に示す変形例に係るラッチ受け６０は、上記したラッチ受け３６と比較して、固定部品４０がブリッジ板４０ｂから屈曲形成された補強板６２を備える点が相違する。補強板６２は、ブリッジ板４０ｂにおける扉枠１２の枠外側端部（一端部）から室外側に向かって屈曲した後、今度は枠内側へと屈曲した略Ｌ字状の板部である。補強板６２は、脆弱部６２ａと、補助係止面６２ｂとを有する。脆弱部６２ａは、ブリッジ板４０ｂからの補強板６２の屈曲部分の根元の板厚を薄くした切欠状の溝部である。補強板６２は、固定部品４０に受け部品４２が装着された際、受け部品４２のラッチ進退空間５２内に収容される（図９参照）。この際、補強板６２は、補助係止面６２ｂを設けた先端側の板部が受け部品４２の係止面５２ａに積層配置され、補助係止面６２ｂがラッチ３０の当接面３０ａと係止面５２ａとの間に介在する。
【００３５】
従って、当該ラッチ受け６０は、閉じ位置にある扉１４のラッチ３０の当接面３０ａに対し、係止面５２ａに重なった補強板６２の補助係止面６２ｂが当接する。つまり補強板６２は、受け部品４２の係止面５２ａを補強している。このため、当該ラッチ受け６０は、上記したラッチ受け３６と同様に、閉じた状態にある扉１４に対しレバー３４を操作せずに開方向に過大な外力が付与された場合であっても、受け部品４２が固定部品４０から強制的に分離されることがなく、扉１４の閉じ状態を確実に維持することができる。しかも、受け部品４２が補強板６２で補強されているため、よりラッチ３０の当接面３０ａからのより大きな負荷を受け止めることができる。
【００３６】
一方、ラッチ錠装置３１が不具合等を生じ、レバー３４を操作してもラッチ３０を退行させることができない事態が生じた非常時は、先ず、上記したラッチ受け３６と同様に固定部品４０から受け部品４２を取り外す。次に、扉１４を強制的に開くと、ラッチ３０の補助係止面６２ｂに対する押圧力によって補強板６２が脆弱部６２ａから折れ曲がるため、扉１４を開くことができる。
【００３７】
次に、第２の実施形態に係る建具１０Ａの構成を説明する。なお、第２の実施形態に係る建具１０Ａにおいて、上記第１の実施形態に係る建具１０と同一又は同様な機能及び効果を奏する要素には同一の参照符号を付し、詳細な説明を省略する。
【００３８】
建具１０Ａの扉１４は、閉じた状態で扉枠１２の枠内部分に配置され、室外側に向かって回動する外開きのインセットドアである。扉１４は、扉枠１２の枠内部分に配置され、室内側に向かって回動する内開きのインセットドアであってもよい。この場合は、例えば図１０中の室内側と室外側とが入れ替わる。建具１０Ａは、上記した建具１０と比較して、扉１４の扉枠１２に対する取付構造が上記のように異なる他、ラッチ受け３６と構成の異なるラッチ受け６８を備えている。
【００３９】
図１０〜図１２に示すように、扉１４は、板材等で構成された扉本体１４ａの一方の側縁部がヒンジ６４を用いて扉枠１２の縦枠１２ａと回動可能に連結される。扉１４は、鉛直軸に沿ったヒンジ６４の軸回りに回動することで、扉枠１２の面外方向（室外側）に開閉可能である。本実施形態のヒンジ６４は、縦枠１２ａの枠内側見込み面２０と扉本体１４ａの側縁部との間を連結している。ラッチ３０は、扉本体１４ａの他方の側縁部の戸先側見込み面２６から出没可能に設けられている。当接面３０ａは、扉１４が閉じられた状態で、縦枠１２ｂの枠内側見込み面６５と直交（又は略直交）する。扉枠１２は、左右の縦枠１２ａ，１２ｂの各見込み面２０，６５のそれぞれにねじ６６を用いてタイト材６７が固定されている。各タイト材６７は、扉１４が扉枠１２に対して閉じられた場合に、それぞれ扉本体１４ａの室内側面及び側縁部に当接し、扉１４と扉枠１２との間の隙間を塞いで気密する。
【００４０】
本実施形態のラッチ受け６８は、縦枠１２ｂの枠内側見込み面６５に取り付けられている。ラッチ受け６８は、ラッチ３０を係止し、扉枠１２に対する扉１４の面外方向への回動を規制する。ラッチ受け６８は、固定部品７０と、受け部品７２とで構成されている。
【００４１】
図１１〜図１６に示すように、固定部品７０は、上記した固定部品４０と縦枠１２ｂに対する取付姿勢が異なる以外は略同様な構成である。すなわち、固定部品７０は、ブリッジ板４０ｂを挟んで室内外方向に並んだ一対の取付板４０ａ，４０ａと、ブリッジ板４０ｂと、一対の係合片４０ｃ，４０ｃとを有する。固定部品７０は、縦枠１２ｂの枠内側見込み面６５に対して各取付板４０ａが当接配置され、例えば２本のねじ４４を用いて固定される。固定部品７０のブリッジ板４０ｂは、各取付板４０ａに対して枠内側見込み面６５から離間する方向（枠内側）にオフセットした位置に配置されている。固定部品７０の係合部４８は、各取付板４０ａが枠内側見込み面６５に当接してねじ止め固定された状態で、その枠外側開口が枠内側見込み面６５によって閉塞される。その結果、係合部４８は、ブリッジ板４０ｂと枠内側見込み面６５との間で枠内側見込み面６５に沿って上下方向に貫通した穴部を形成する。固定部品７０についても、ブリッジ板４０ｂと対向する板部を追加することにより、この板部とブリッジ板４０ｂとの間に係合部４８を形成した構成としてもよい。
【００４２】
受け部品７２は、例えば樹脂で成形された部品である。受け部品７２は、固定部品７０に対して着脱可能に連結される。受け部品７２は、支持面７２ａと、ラッチ係止部７２ｂと、一対のフック状突起４２ｃ，４２ｃと、一対の引寄せ片７２ｃ，７２ｃとを有する。
【００４３】
支持面７２ａは、縦枠１２ｂの枠内側見込み面６５に当接する面である。支持面７２ａは、ラッチ係止部７２ｂ、引寄せ片７２ｃ及び各フック状突起４２ｃの裏面（枠外側面）に形成されている。
【００４４】
ラッチ係止部７２ｂは、支持面７２ａから枠内側に起立した箱形状の部分である。ラッチ係止部７２ｂは、縦枠１２ｂの枠内方向と、フック状突起４２ｃの突出方向（下方）とに向かって開口したラッチ進退空間７４を有する。ラッチ係止部７２ｂは、ラッチ進退空間７４における室外側面に、室内側を向いた係止面５２ａを有する。ラッチ係止部７２ｂは、扉１４が閉じられた場合にラッチ進退空間７４に進出したラッチ３０の当接面３０ａを係止面５２ａで係止することでラッチ３０の扉１４の面外方向への回動を規制する。
【００４５】
受け部品７２の各フック状突起４２ｃは、ラッチ係止部４２ｂの下端部から支持面７２ａに沿って下方に突出しており、室内外方向に並んだ棒状部材である。受け部品７２のフック状突起４２ｃは、各爪部５６が各係合片４０ｃに係合した状態で、その先端部５４が係合部４８内に配置される形状となっている（図１６参照）。受け部品７２のフック状突起４２ｃについても、上記した受け部品４２のフック状突起４２ｃと同様、先端部５４が係合部４８を通過して固定部品４０の外部に露出する構成としてもよい。
【００４６】
各引寄せ片７２ｃは、支持面４２ａに沿ってラッチ係止部７２ｂの室内外側にそれぞれ突出したブロック状部分である。これにより各引寄せ片７２ｃは、ラッチ係止部７２ｂの下端部を基準とすると、フック状突起４２ｃの突出方向とは略方向（上方）に突出していることになる。各引寄せ片７２ｃは、指先等を引っ掛けるのに適した操作凹部５８を枠内側表面に有する。引寄せ片７２ｃは、省略してもよい。
【００４７】
受け部品７２は、各フック状突起４２ｃを跨ぐように室内外方向に並んだ一対の支持片７６，７６を有する。各支持片７６は、上記した受け部品４２の連結凹部５０の代わりとなる部分である。
【００４８】
ここで、ラッチ受け６８を扉枠１２に取り付ける手順の一例を説明する。この手順は、扉１４を開いた状態とし、先ず、固定部品７０の各取付板４０ａを縦枠１２ｂの枠内側見込み面６５の所定位置に当接させ、ねじ４４を用いて枠内側見込み面６５に固定する。続いて、受け部品７２の支持面７２ａを固定部品７０の上方から枠内側見込み面６５に摺接させ、各フック状突起４２ｃを図１２及び図１６中の矢印Ｚ１方向（下方）に移動させて係合部４８に挿入する。各爪部５６が各係合片４０ｃに摺接すると、各フック状突起４２ｃが互いに近接する方向に多少弾性変形し、各爪部５６が各係合片４０ｃを乗り越えて係合する。これにより各フック状突起４２ｃが係合部４８に対して抜け止めされる。その結果、受け部品７２が固定部品７０に対して連結され、ラッチ受け６８が扉枠１２の枠内側見込み面６５に取り付けられる。この際、受け部品７２の各支持片７６が係合部４８に嵌合するため、受け部品７２が固定部品７０に対して一層がたつきなく連結される。
【００４９】
受け部品７２は、固定部品７０に対して上方からではなく、下方から着脱される構成としてもよい。但し、受け部品７２が固定部品７０に対して上方から着脱される構成であると、誤って爪部５６が係合片４０ｃから脱落し、受け部品７２が固定部品７０から脱落する不具合を生じることをより確実に防止できる。
【００５０】
この場合、本実施形態に係るラッチ受け６８は、受け部品７２の固定部品７０からの離脱方向（図１２及び図１６中の矢印Ｚ２方向）が、ラッチ３０の当接面３０ａの受け部品７２の係止面５２ａに対する当接方向（図２及び図６中の矢印Ｙ１方向）と異なる。従って、当該ラッチ受け６８は、閉じた状態にある扉１４に対しレバー３４を操作せずに開方向に過大な外力が付与された場合であっても、受け部品７２が固定部品７０から強制的に分離されることがなく、扉１４の閉じ状態を確実に維持することができる。特に、本実施形態の場合、上記した離脱方向と、当接方向とが直交又は略直交しているため、固定部品７０に対する受け部品７２の装着動作及び離脱動作が一層容易となる。
【００５１】
一方、ラッチ錠装置３１が不具合等を生じ、レバー３４を操作してもラッチ３０を退行させることができない事態が生じた非常時を考える。この場合、当該建具１０Ａでは、室内側から扉１４を開く際は、室内側から縦枠１２ｂに取り付けられているタイト材６７を抜去し或いは捲る。そして、縦枠１２ｂの枠内側見込み面６５と扉本体１４ａの戸先側見込み面２６との間に指先等を差し入れて室内側の引寄せ片７２ｃに指先等を引っ掛け、受け部品７２を固定部品７０からの離脱方向へと引き寄せる（図１２及び図１６中の力Ｆ３参照）。これにより受け部品７２が固定部品７０から分離され、ラッチ３０と受け部品７２の係止状態が解除されるため、扉１４を開くことができる。
【００５２】
また、室外側から扉１４を開く際は、室外側から縦枠１２ｂの枠内側見込み面６５と扉本体１４ａの戸先側見込み面２６との間に指先等を差し入れて室外側の引寄せ片７２ｃに指先等を引っ掛け、受け部品７２を固定部品７０からの離脱方向へと引き寄せる（図１２及び図１６中の力Ｆ３参照）。これによっても受け部品７２が固定部品７０から分離され、ラッチ３０と受け部品７２の係止状態が解除されるため、扉１４を開くことができる。
【００５３】
このようなラッチ受け６８についても、上記したラッチ受け６０と同様、固定部品７０に脆弱部６２ａ及び補助係止面６２ｂを持った補強板６２を形成した構成としてもよい。また、図１７に示すように、ラッチ受け６８は、固定部品７０にフック状突起４２ｃを設け、受け部品７２に係合部４８を設けたラッチ受け６８Ａとして構成してもよく、上記したラッチ受け３６，６０についても同様である。
【００５４】
以上のように、本発明に係るラッチ受けは、扉に設けられたラッチを係止することで前記扉の扉枠に対する面外方向への移動を規制するラッチ受けであって、前記扉枠に固定される固定部品と、前記ラッチと当接することで前記扉の面外方向への移動を規制する係止面を有し、前記固定部品に対して着脱可能に連結される受け部品と、を備え、前記ラッチの前記係止面に対する当接方向と、前記受け部品の前記固定部品からの離脱方向とが、異なる。
【００５５】
このような構成によれば、閉じた状態にある扉に対してラッチを退行させるレバー等を操作せずに開方向に過大な外力が付与された場合であっても、受け部品が固定部品から強制的に分離されることがなく、扉の閉じ状態を確実に維持することができる。また、ラッチを備えるラッチ錠装置が不具合等を生じ、レバー等を操作してもラッチを退行させることができない非常時には、指先等で受け部品を固定部品から分離する。そうすると、ラッチと受け部品の係止状態が解除されるため、扉を開くことができる。
【００５６】
本発明に係るラッチ受けにおいて、前記受け部品及び前記固定部品の一方は、爪部が設けられたフック状突起を有し、前記受け部品及び前記固定部品の他方は、前記フック状突起が挿入された場合に前記爪部と係合する係合部を有し、前記フック状突起が前記係合部に係合することで、前記受け部品が前記固定部品に対して着脱可能に連結される構成としてもよい。そうすると、簡素な構成で受け部品を固定部品に対して着脱可能に構成することができる。
【００５７】
本発明に係るラッチ受けにおいて、前記受け部品は、前記固定部品からの離脱方向に向かって突出した引寄せ片を有する構成としてもよい。そうすると、受け部品を固定部品から強制的に分離する際、引寄せ片に指先等を引っ掛けて引き寄せることで、フック状突起を係合部から容易に抜去することができる。
【００５８】
本発明に係るラッチ受けにおいて、前記フック状突起は、前記受け部品に設けられ、前記係合部は、前記固定部品に設けられると共に、前記フック状突起を挿入可能な穴部を有し、前記爪部が前記係合部に係合した状態で、前記フック状突起の先端部は、前記穴部を通過して前記固定部品の外部に露出する構成としてもよい。そうすると、受け部品を固定部品から強制的に分離する際、固定部品の外部に露出したフック状突起の先端部を指先等で押圧することにより、フック状突起を係合部から容易に抜去することができる。
【００５９】
本発明に係るラッチ受けにおいて、前記固定部品は、その一端部から屈曲して形成され、前記受け部品が連結された状態で、前記係止面と前記ラッチとの間に介在する補強板を有し、前記補強板の前記一端部からの屈曲部分には、脆弱部が形成された構成としてもよい。そうすると、通常時には、受け部品の当接面を補強板で補強することができる一方、非常時には、扉を強制的に開くことで補強板を脆弱部から容易に折り曲げて扉を開くことができる。
【００６０】
本発明に係るラッチ受けにおいて、前記当接方向と前記離脱方向とが、互いに直交又は略直交した構成としてもよい。そうすると、固定部品に対する受け部品の装着動作及び離脱動作が容易となる。
【００６１】
本発明に係る建具は、上記構成のラッチ受けを設けた前記扉と、該扉がヒンジを用いて回動可能に取り付けられる前記扉枠と、を備えることを特徴とする。
【００６２】
本発明に係る建具において、前記固定部品は、前記扉枠の室外側又は室内側の見付け面に対して固定され、前記受け部品の前記固定部品に対する着脱方向は、前記扉枠の前記見付け面に沿った方向であってもよい。そうすると、非常時に固定部品から受け部品を分離する際、扉枠の見付け面に沿って容易に受け部品を抜去することができ、取扱いが一層容易となる。
【００６３】
本発明に係る建具において、前記固定部品は、前記扉枠の見込み面に対して固定され、前記受け部品の前記固定部品に対する着脱方向は、前記扉枠の前記見込み面の長手方向に沿った方向であってもよい。そうすると、非常時に固定部品から受け部品を分離する際、扉枠の見込み面に沿って容易に受け部品を抜去することができ、取扱いが一層容易となる。
【００６４】
なお、本発明は、上記した実施形態に限定されるものではなく、本発明の主旨を逸脱しない範囲で自由に変更できることは勿論である。
【符号の説明】
【００６５】
１０，１０Ａ  建具、１２  扉枠、１２ａ，１２ｂ  縦枠、１４  扉、１８，６４  ヒンジ、２０，６５  枠内側見込み面、２４，３２  室外側見付け面、３０  ラッチ、３０ａ  当接面、３０ｂ  案内面、３１  ラッチ錠装置、３６，６０，６８，６８Ａ  ラッチ受け、４０，７０  固定部品、４０ｃ  係合片、４２，７２  受け部品、４８  係合部、４２ｃ  フック状突起、４２ｄ，７２ｃ  引寄せ片、５２ａ  係止面、５４  先端部、５６  爪部、６２  補強板、６２ａ  脆弱部
【図１】
2020016040.tif 000003
【図２】
2020016040.tif 000004
【図３】
2020016040.tif 000005
【図４】
2020016040.tif 000006
【図５】
2020016040.tif 000007
【図６】
2020016040.tif 000008
【図７】
2020016040.tif 000009
【図８】
2020016040.tif 000010
【図９】
2020016040.tif 000011
【図１０】
2020016040.tif 000012
【図１１】
2020016040.tif 000013
【図１２】
2020016040.tif 000014
【図１３】
2020016040.tif 000015
【図１４】
2020016040.tif 000016
【図１５】
2020016040.tif 000017
【図１６】
2020016040.tif 000018
【図１７】
2020016040.tif 000019